(57)【特許請求の範囲】
【請求項１】
折畳み可能にした折畳みベンチであって、二つのフレーム部の中間位置を前記回動部により結合してＸ形に構成し、かつ左右に離間して配した右フレーム体及び左フレーム体を有するとともに、前記右フレーム体の後上端部と前記左フレーム体の後上端部間に配する後上端フレーム部，前記右フレーム体の前上端部と前記左フレーム体の前上端部間に配する前上端フレーム部，前記右フレーム体の前下がりの前記フレーム部の上部と前記左フレーム体の前下がりの前記フレーム部の上部間に配する中間上フレーム部，前記右フレーム体の前下がりの前記フレーム部の下部と前記左フレーム体の前下がりの前記フレーム部の下部の上方に配した中間下フレーム部，及び，前記中間下フレーム部の両端に一端部をそれぞれ結合し、かつ他端部をそれぞれ回動部を介して前記右フレーム体の後下がりの前記フレーム部の下部と前記左フレーム体の後下がりの前記フレーム部の下部にそれぞれ取付けた一対のサブフレーム部を有する骨格部を備え、前記右フレーム体及び前記左フレーム体の各下端部をベンチ脚部にするとともに、前記中間上フレーム部と前記中間下フレーム部間に架け渡した第一フレキシブルシート部により前側が着座面となり後側が背凭れ面となる前記着座部を構成し、かつ前記後上端フレーム部と前記前上端フレーム部間に架け渡した第二フレキシブルシート部によりルーフ部を構成してなることを特徴とする折畳みベンチ。
【請求項２】
前記ルーフ部は、左右の辺部に一体形成することにより、少なくとも隣接する他の折畳みベンチのルーフ部に対して、連結部により連結可能な連結シート部を備えることを特徴とする請求項１記載の折畳みベンチ。
【請求項３】
前記フレーム部は、パイプ部材により形成するとともに、当該パイプ部材には、伸縮可能な一又は二以上の伸縮部，着脱可能な一又は二以上の着脱部，折曲可能な一又は二以上の折曲部，の一又は二以上を備えることを特徴とする請求項１記載の折畳みベンチ。
【発明の詳細な説明】
【技術分野】
【０００１】
本発明は、複数のフレーム部を組合わせることにより折畳み可能に構成した屋外等で用いて好適な折畳みベンチに関する。
【背景技術】
【０００２】
一般に、レジャー等を目的とし、かつ容易に携帯できるようにコンパクトに折畳み可能に構成した折畳み椅子は広く普及しているが、この種の折畳み椅子は、海や山などの自然の中で使用することも多いため、使用時には、使用者が直接日射に晒されてしまう難点がある。このため、レジャー等を目的とした椅子であって、特に、日除けを付加した椅子も提案されている。
【０００３】
従来、この種の日除けを付加した椅子としては、特許文献１で開示される椅子が知られている。同文献１で開示される椅子は、日除けを脱着自在に連結すると共に、日除けのシートと背もたれの角度を自由に変更して、理想の状態で日差しを遮って屋外で快適に使用することを目的としたものであり、具体的には、座台フレームと、座台フレームに傾動自在に連結された背フレームと、座台フレームと背フレームに張設されたシートと、背フレームに脱着自在に連結された日除けとを備えるとともに、この日除けは、連結ロッドと日除けフレームと日除けシートとを備え、さらに、連結ロッドは、一端が脱着連結具を介して連結位置を変更できる構造で背フレームに脱着自在に連結されると共に、他端に日除けフレームを傾動自在に連結して、日除けフレームを折り畳みできる構造とし、この日除けは、日除けフレームに連結された日除けシートを張設した状態で、日除けシートと背フレームとの相対的な角度を変更できるようにしたものである。
【先行技術文献】
【特許文献】
【０００４】
【特許文献１】特開２０００−３１６６６０号公報
【発明の概要】
【発明が解決しようとする課題】
【０００５】
しかし、上述した特許文献１で開示される日除けを付加した従来の椅子は、次のような問題点があった。
【０００６】
第一に、既存の独立した椅子に対して、別途構成した日除けをそのまま組合わせる構造となるため、部品点数の増加による全体構成の複雑化を招きやすい。即ち、椅子と日除けの双方に兼用する部品（部材）が存在しないか又はほとんど存在しないため、部品点数が増加し、全体構成が煩雑化及び複雑化するとともに、部品コスト及び製造コスト双方のコストアップ、更には重量アップを招く。
【０００７】
第二に、折畳み構造にする場合、容易な折畳み構造を構築できないため、折畳み時のコンパクト化を実現しにくい。したがって、携帯性及び保管性に難があるとともに、フレームの結合部分や接合部分等の増加を招くため、使用によりガタつきや異音等を生じやすくなり、耐久性や品質保持性にも難がある。
【０００８】
本発明は、このような背景技術に存在する課題を解決した折畳みベンチの提供を目的とするものである。
【課題を解決するための手段】
【０００９】
本発明に係る折畳みベンチ１は、上述した課題を解決するため、折畳み可能にした折畳みベンチを構成するに際して、二つのフレーム部ＦｐａとＦｐｂ，ＦｑａとＦｑｂの中間位置を回動部Ｃｒ，Ｃｒにより結合してＸ形に構成し、かつ左右に離間して配した右フレーム体Ｆｐ及び左フレーム体Ｆｑを有するとともに、右フレーム体Ｆｐの後上端部Ｐｂｕと左フレーム体Ｆｑの後上端部Ｑｂｕ間に配する後上端フレーム部Ｆｍｒ，右フレーム体Ｆｐの前上端部Ｐａｕと左フレーム体Ｆｑの前上端部Ｑａｕ間に配する前上端フレーム部Ｆｍｆ，右フレーム体Ｆｐの前下がりのフレーム部Ｆｐｂの上部と左フレーム体Ｆｑの前下がりのフレーム部Ｆｑｂの上部間に配する中間上フレーム部Ｆｍｕ，右フレーム体Ｆｐの前下がりのフレーム部Ｆｐｂの下部と左フレーム体Ｆｑの前下がりのフレーム部Ｆｑｂの下部の上方に配した中間下フレーム部Ｆｍｄ，及び，中間下フレーム部Ｆｍｄの両端に一端部をそれぞれ結合し、かつ他端部をそれぞれ回動部Ｃｒ…を介して右フレーム体Ｆｐの後下がりのフレーム部Ｆｐａの下部と左フレーム体Ｆｑの後下がりのフレーム部Ｆｑａの下部にそれぞれ取付けた一対のサブフレーム部２５ｐ，２５ｑを有する骨格部２を備え、右フレーム体Ｆｐ及び左フレーム体Ｆｑの各下端部Ｐａｄ，Ｐｂｄ，Ｑａｄ，Ｑｂｄをベンチ脚部１１にするとともに、中間上フレーム部Ｆｍｕと中間下フレーム部Ｆｍｄ間に架け渡した第一フレキシブルシート部Ｓｂにより前側が着座面３ｓとなり後側が背凭れ面３ｒとなる着座部３を構成し、かつ後上端フレーム部Ｆｍｒと前上端フレーム部Ｆｍｆ間に架け渡した第二フレキシブルシート部Ｓｒによりルーフ部１３を構成してなることを特徴とする。
【００１０】
この場合、発明の好適な態様により、ルーフ部１３には、左右の辺部１３ｐ，１３ｑに一体形成することにより、少なくとも隣接する他の折畳みベンチ１のルーフ部１３に対して、連結部１５ｐ，１５ｑにより連結可能な連結シート部１４ｐ，１４ｑを設けることができる。他方、フレーム部は、パイプ部材ｆｐ…により形成するとともに、パイプ部材ｆｐ…には、伸縮可能な一又は二以上の伸縮部１８ｅ…，着脱可能な一又は二以上の着脱部１８ｊ…，折曲可能な一又は二以上の折曲部，の一又は二以上を設けることができる。
【発明の効果】
【００１１】
このような構成を有する本発明に係る折畳みベンチ１によれば、次のような顕著な効果を奏する。
【００１２】
（１）  二つのフレーム部ＦｐａとＦｐｂ…の中間位置を回動部Ｃｒ…により結合してＸ形に構成し、かつ左右に離間して配した右フレーム体Ｆｐ及び左フレーム体Ｆｑにおける四つの下端部Ｐａｄ…，Ｑａｄ…をベンチ脚部１１にするとともに、四つの上端部Ｐａｕ…，Ｑａｕ…により囲まれるエリアに支持される第二フレキシブルシート部Ｓｒによりルーフ部１３を構成したため、骨格部２を構成する右フレーム体Ｆｐ，左フレーム体Ｆｑ，後上端フレーム部Ｆｍｒ及び前上端フレーム部Ｆｍｆは、骨格部２とルーフ部１３の双方に兼用させることができる。これにより、部品点数の削減による全体構成の単純化を図れ、部品コスト及び製造コスト双方のコストダウンを実現できるとともに、全体重量の軽量化を実現できる。
【００１３】
（２）  ルーフ部１３を設けた場合であっても、折畳み構造を容易に実現できるとともに、折畳み操作も容易に行うことができる。したがって、折畳み時のコンパクト化を実現できるとともに、移送性及び保管性を高めることができる。しかも、結合部分や接合部分を低減できるため、使用によってもガタつきや異音等が生じにくくなるなど、耐久性や品質保持性を高めることができる。
【００１４】
（３）  骨格部２は、右フレーム体Ｆｐの後上端部Ｐｂｕと左フレーム体Ｆｑの後上端部Ｑｂｕ間に配する後上端フレーム部Ｆｍｒ，右フレーム体Ｆｐの前上端部Ｐａｕと左フレーム体Ｆｑの前上端部Ｑａｕ間に配する前上端フレーム部Ｆｍｆ，右フレーム体Ｆｐの前下がりのフレーム部Ｆｐｂの上部と左フレーム体Ｆｑの前下がりのフレーム部Ｆｑｂの上部間に配する中間上フレーム部Ｆｍｕ，右フレーム体Ｆｐの前下がりのフレーム部Ｆｐｂの下部と左フレーム体Ｆｑの前下がりのフレーム部Ｆｑｂの下部の上方に配した中間下フレーム部Ｆｍｄ，及び，中間下フレーム部Ｆｍｄの両端に一端部をそれぞれ結合し、かつ他端部をそれぞれ回動部Ｃｒ…を介して右フレーム体Ｆｐの後下がりのフレーム部Ｆｐａの下部と左フレーム体Ｆｑの後下がりのフレーム部Ｆｑａの下部にそれぞれ取付けた一対のサブフレーム部２５ｐ，２５ｑを設けて構成したため、骨格部２は、フレキシブルシート部Ｓｂ，Ｓｒを支持する支持機能と骨格部２を構成する連結機能の双方を兼用できる。これにより、必要最小限となる四つのフレーム部Ｆｍｒ，Ｆｍｆ，Ｆｍｕ，Ｆｍｄで足りるため、本発明における最大限の効果を享受できる最適な形態として実施できる。
【００１５】
（４）  着座部３は、中間上フレーム部Ｆｍｕと中間下フレーム部Ｆｍｄ間に、第一フレキシブルシート部Ｓｂを架け渡すことにより、前側を着座面３ｓとし、かつ後側を背凭れ面３ｒとして構成したため、骨格部２における連結機能を有する二つのフレーム部、即ち、中間上フレーム部Ｆｍｕと中間下フレーム部Ｆｍｄにより着座部３を構成できる。これにより、着座部３の構成単純化及びコストダウンに寄与する観点から最適な形態として実施できる。
【００１６】
（５）  ルーフ部１３は、後上端フレーム部Ｆｍｒと前上端フレーム部Ｆｍｆ間に、第二フレキシブルシート部Ｓｒを架け渡すことにより構成したため、骨格部２における連結機能を有する二つのフレーム部、即ち、後上端フレーム部Ｆｍｒと前上端フレーム部Ｆｍｆによりルーフ部１３を構成できる。これにより、ルーフ部１３の構成単純化及びコストダウンに寄与する観点から最適な形態として実施できる。
【００１７】
（６）  好適な態様により、ルーフ部１３を構成するに際し、左右の辺部１３ｐ，１３ｑに一体形成することにより、少なくとも隣接する他の折畳みベンチ１のルーフ部１３に対して、連結部１５ｐ，１５ｑにより連結可能な連結シート部１４ｐ，１４ｑを設ければ、複数の折畳みベンチ１…を並べて設置する場合でも、連結シート部１４ｐ，１４ｑを介して相互に連結したルーフ部１３…により一体化した一つのルーフを構成できるため、折畳みベンチ１…間の隙間を遮蔽し、連続した一つのルーフにより日除け機能をより高めることができるとともに、各折畳みベンチ１…の位置ズレ防止にも寄与できる。
【００１８】
（７）  好適な態様により、フレーム部を形成するに際し、パイプ部材ｆｐ…により形成すれば、生産性に優れたパイプ部材ｆｐ…を利用できるため、生産性及び低コスト性に優れるとともに、強度に優れた細いフレーム部により構成できる。
【００１９】
（８）  好適な態様により、パイプ部材ｆｐ…を構成するに際し、伸縮可能な一又は二以上の伸縮部１８ｅ…，着脱可能な一又は二以上の着脱部１８ｊ…，折曲可能な一又は二以上の折曲部，の一又は二以上を設ければ、伸縮部１８ｅ…，着脱部１８ｊ…又は折曲部のいずれも容易に構成できるため、折畳みベンチ１にとって好適となる強度及び操作性に優れた折畳み構造を容易に構築できる。
【図面の簡単な説明】
【００２０】
【図１】本発明の好適実施形態に係る折畳みベンチの斜視図、
【図２】同折畳みベンチの断面側面図、
【図３】同折畳みベンチの骨格部における回動部の構造を示す断面図、
【図４】同折畳みベンチの骨格部における結合部の構造を示す断面図、
【図５】同折畳みベンチの正面図、
【図６】同折畳みベンチの平面図、
【図７】同折畳みベンチの折畳み方法の説明図、
【図８】同折畳みベンチの変更例に係るルーフ部を有する斜視図、
【図９】同折畳みベンチの他の変更例に係るルーフ部を有する斜視図、
【図１０】同他の変更例に係るルーフ部の機能説明図、
【図１１】本発明の変更実施形態に係る折畳みベンチの折畳み途中の状態を示す背面図、
【図１２】同変更実施形態に係る折畳みベンチの折畳んだ状態の背面図、
【発明を実施するための形態】
【００２１】
次に、本発明に係る好適実施形態を挙げ、図面に基づき詳細に説明する。
【００２２】
まず、本実施形態に係る折畳みベンチ１の構成について、図１〜図７を参照して具体的に説明する。
【００２３】
本実施形態に係る折畳みベンチ１は、基本構成として、骨格部２，着座部３及び回動部Ｃｒ…を備えるとともに、骨格部２を利用したベンチ脚部１１及びルーフ部１３を備えている。
【００２４】
骨格部２は、複数のフレーム部Ｆｐａ…，Ｆｍｒ…を、結合部Ｃｊ…及び回動部Ｃｒ…により結合することにより折畳みベンチ１全体の骨格を構成する。この骨格部２は、図１に示すように、二本のフレーム部ＦｐａとＦｐｂの中間位置を回動部Ｃｒにより結合してＸ形に構成した右フレーム体Ｆｐと、二本のフレーム部ＦｑａとＦｑｂの中間位置を回動部Ｃｒにより結合してＸ形に構成した左フレーム体Ｆｑを備える。右フレーム体Ｆｐと左フレーム体Ｆｑは、左右に離間した位置に縦方向に起立させて配する。
【００２５】
例示する四本のフレーム部Ｆｐａ…は、いずれも素材として木質材（天然木材，人工木材等）を使用している。各フレーム部Ｆｐａ…は、断面を矩形形状に選定するとともに、所定の長さに選定した棒状体を使用し、長手方向両端は、図２に示すように、半円形に形成することにより丸みを持たせる。これにより、四本のフレーム部Ｆｐａ…の各下端部Ｐａｄ，Ｐｂｄ，Ｑａｄ，Ｑｂｄはベンチ脚部１１として機能させる。
【００２６】
また、回動部Ｃｒ…により結合するフレーム部Ｆｐａ…，Ｆｐｂ…の中間位置は、いずれも下端部Ｐａｄ…，Ｐｂｄ…から１／３程度の中間位置を選定できる。回動部Ｃｒの一例を図３に示す。図３は、ボルト２１とナット２２により構成したものであるが、フレーム部Ｆｐａ…とＦｐｂ…の中間位置を回動自在に結合する機能を有するものであれば、公知の各種回動部Ｃｒ…により構成できる。
【００２７】
さらに、左右に離間した右フレーム体Ｆｐと左フレーム体Ｆｑ間に配する複数（例示は四本）のフレーム部Ｆｍｒ，Ｆｍｆ，Ｆｍｕ，Ｆｍｄを備える。具体的には、右フレーム体Ｆｐの後上端部Ｐｂｕと左フレーム体Ｆｑの後上端部Ｑｂｕ間に配する後上端フレーム部Ｆｍｒと、右フレーム体Ｆｐの前上端部Ｐａｕと左フレーム体Ｆｑの前上端部Ｑａｕ間に配する前上端フレーム部Ｆｍｆと、右フレーム体Ｆｐにおける前下がりのフレーム部Ｆｐｂの上部と左フレーム体Ｆｑにおける前下がりのフレーム部Ｆｑｂの上部間に配する中間上フレーム部Ｆｍｕと、右フレーム体Ｆｐにおける前下がりのフレーム部Ｆｐｂの下部と左フレーム体Ｆｑにおける前下がりのフレーム部Ｆｑｂの下部間に配する中間下フレーム部Ｆｍｄとを備え、各フレーム部Ｆｍｒ，Ｆｍｆ，Ｆｍｕ，Ｆｍｄは、右フレーム体Ｆｐと左フレーム体Ｆｑを連結する機能を備える。
【００２８】
この場合、後上端フレーム部Ｆｍｒ，前上端フレーム部Ｆｍｆ及び中間上フレーム部Ｆｍｕは、いずれも各端面を右フレーム体Ｆｐと左フレーム体Ｆｑに対して結合部Ｃｊを介して結合（固定）する。結合部Ｃｊの一例を図４に示す。図３は、前上端フレーム部Ｆｍｆ（後上端フレーム部Ｆｍｒ及び中間上フレーム部Ｆｍｕも同じ）の端面Ｆｍｆｓにボルト部材２３を固定し、フレーム部Ｆｐａに形成したネジ孔部２４に螺着したものである。この際、ボルト部材２３は、断面を非円形（正方形等）に形成した頭部２３ｈを端面Ｆｍｆｓに埋め込んで固定し、端面Ｆｍｆｓからはネジ部２３ｎのみを突出させる。
【００２９】
また、中間下フレーム部Ｆｍｄの取付けは、図１及び図２に示すように、当該中間下フレーム部Ｆｍｄの両端面に、サブフレーム部２５ｐ，２５ｑの一端部をそれぞれ結合部Ｃｊ…を介して結合するとともに、他端部をそれぞれ回動部Ｃｒ…を介してフレーム体Ｆｐ，Ｆｑにおける後下がりのフレーム部Ｆｐａ，Ｆｑａの下端付近の外面側に結合する。この際、中間下フレーム部Ｆｍｄは各フレーム体Ｆｐ，Ｆｑにおける前下がりに傾斜したフレーム部Ｆｐｂ，Ｆｑｂの上面に位置するように配する。中間下フレーム部Ｆｍｄの取付けをこのような構成にすることにより、各フレーム体Ｆｐ，Ｆｑの開脚角を規制することができる。
【００３０】
一方、着座部３は、複数のフレーム部における一部のフレーム部で支持される第一フレキシブルシート部Ｓｂにより構成する。具体的には、図２に示すように、中間上フレーム部Ｆｍｕと中間下フレーム部Ｆｍｄ間に、第一フレキシブルシート部Ｓｂを架け渡すことにより、前側を着座面３ｓとし、かつ後側を背凭れ面３ｒとして構成する。第一フレキシブルシート部Ｓｂとしては、天然素材又は合成樹脂素材等を利用した布状のシート材を利用できる。このように、着座部３を構成するに際し、骨格部２における連結機能を有する二つのフレーム部、即ち、中間上フレーム部Ｆｍｕと中間下フレーム部Ｆｍｄを利用し、フレキシブルシート部Ｓｂの前部を着座面３ｓとし、かつ後部を背凭れ面３ｒとして構成すれば、着座部３の構成単純化及びコストダウンを図る観点から最適な形態として実施できる利点がある。
【００３１】
他方、ルーフ部１３は、着座部３に着座した使用者Ｈの上端よりも上方に位置させた右フレーム体Ｆｐ及び左フレーム体Ｆｑにおける四つの上端部Ｐａｕ，Ｐｂｕ，Ｑａｕ，Ｑｂｕにより囲まれるエリアに支持される第二フレキシブルシート部Ｓｒにより構成する。具体的には、図２に示すように、後上端フレーム部Ｆｍｒと前上端フレーム部Ｆｍｆ間にフレキシブルシート部Ｓｒを架け渡すことにより構成する。第二フレキシブルシート部Ｓｒとしては、上述した第一フレキシブルシート部Ｓｂと同一のシート材、即ち、天然素材又は合成樹脂素材を利用した布状のシート材を利用できるが、必要により、防水処理を付加することにより日除け機能のみならず、雨除け機能を持たせることも可能である。このように、ルーフ部１３を構成するに際し、骨格部２における連結機能を有する二つのフレーム部、即ち、後上端フレーム部Ｆｍｒと前上端フレーム部Ｆｍｆを利用し、後上端フレーム部Ｆｍｒと前上端フレーム部Ｆｍｆ間にフレキシブルシート部Ｓｒを架け渡すことにより構成すれば、ルーフ部１３の構成単純化及びコストダウンを図る観点から最適な形態として実施できる利点がある。
【００３２】
このように、右フレーム体Ｆｐと左フレーム体Ｆｑ間に配する複数のフレーム部（Ｆｍｒ，Ｆｍｆ，Ｆｍｕ，Ｆｍｄ）を構成するに際し、右フレーム体Ｆｐの後上端部Ｐｂｕと左フレーム体Ｆｑの後上端部Ｑｂｕ間に配する後上端フレーム部Ｆｍｒと、右フレーム体Ｆｐの前上端部Ｐａｕと左フレーム体Ｆｑの前上端部Ｑａｕ間に配する前上端フレーム部Ｆｍｆと、右フレーム体Ｆｐにおける前下がりのフレーム部Ｆｐｂの上部と左フレーム体Ｆｑにおける前下がりのフレーム部Ｆｑｂの上部間に配する中間上フレーム部Ｆｍｕと、右フレーム体Ｆｐにおける前下がりのフレーム部Ｆｐｂの下部と左フレーム体Ｆｑにおける前下がりのフレーム部Ｆｑｂの下部間に配する中間下フレーム部Ｆｍｄとを設けて構成すれば、フレキシブルシート部Ｓｂ，Ｓｒを支持する支持機能と骨格部２を構成する連結機能の双方を兼用できるとともに、必要最小限となる四つのフレーム部Ｆｍｒ，Ｆｍｆ，Ｆｍｕ，Ｆｍｄで足りるため、本発明における最大限の効果を享受できる最適な形態として実施できる利点がある。
【００３３】
よって、このような本実施形態に係る折畳みベンチ１によれば、基本構成として、二つのフレーム部ＦｐａとＦｐｂ，ＦｑａとＦｑｂの中間位置を回動部Ｃｒ，Ｃｒにより結合してＸ形に構成し、かつ左右に離間して配した右フレーム体Ｆｐ及び左フレーム体Ｆｑを有するとともに、右フレーム体Ｆｐと左フレーム体Ｆｑ間に配する複数のフレーム部Ｆｍｆ，Ｆｍｒ，Ｆｍｕ，Ｆｍｄを有する骨格部２を備え、右フレーム体Ｆｐ及び左フレーム体Ｆｑにおける四つの下端部Ｐａｄ，Ｐｂｄ，Ｑａｄ，Ｑｂｄをベンチ脚部１１にするとともに、少なくとも着座部３に着座した使用者Ｈの上端よりも上方に位置させた右フレーム体Ｆｐ及び左フレーム体Ｆｑにおける四つの上端部Ｐａｕ，Ｐｂｕ，Ｑａｕ，Ｑｂｕにより囲まれるエリアに支持される第二フレキシブルシート部Ｓｒによりルーフ部１３を構成したため、骨格部２を構成する右フレーム体Ｆｐ，左フレーム体Ｆｑ，後上端フレーム部Ｆｍｒ及び前上端フレーム部Ｆｍｆは、骨格部２とルーフ部１３の双方に兼用させることができる。これにより、部品点数の削減による全体構成の単純化を図れ、部品コスト及び製造コスト双方のコストダウンを実現できるとともに、全体重量の軽量化を実現できる。また、ルーフ部１３を設けた場合であっても、折畳み構造を容易に実現できるとともに、折畳み操作も容易に行うことができる。したがって、折畳み時のコンパクト化を実現できるとともに、移送性及び保管性を高めることができる。しかも、結合部分や接合部分を低減できるため、使用によってもガタつきや異音等が生じにくくなるなど、耐久性や品質保持性を高めることができる。
【００３４】
次に、本実施形態に係る折畳みベンチ１の使用方法について、図１〜図６を参照して説明する。
【００３５】
まず、折畳みベンチ１を使用する際には、図１及び図２に示すように、前上端フレーム部Ｆｍｆと後上端フレーム部Ｆｍｒを相互に離間する方向に広げ、そのまま屋外の地面やコンクリート面等の設置面Ｇ上に設置すればよい。このように、折畳みベンチ１は、極めて容易に使用状態にセットすることができる。
【００３６】
使用状態では、図２に示すように、右フレーム体Ｆｐ及び左フレーム体ＦｑがＸ形に広がるとともに、最も広がった状態では、第二フレキシブルシート部Ｓｒは、前後方向に張った状態となり着座部３の上方を覆う。これにより、ルーフ部１３による日除け機能（雨除け機能）が発揮される。
【００３７】
また、この状態では、中間下フレーム部Ｆｍｄが傾斜したフレーム部Ｆｐｂ及びフレーム部Ｆｑｂの上面に載置されるため、中間上フレーム部Ｆｍｕと中間下フレーム部Ｆｍｄ間の第一フレキシブルシート部Ｓｂは、適度に弛んだ状態となり、前側が着座面３ｓとなり、後側が背凭れ面３ｒとなる着座部３が構成される。
【００３８】
これにより、使用者Ｈは、図２に示すように、着座部３上に着座することができる。特に、例示の折畳みベンチ１は、二人掛けできるように、横方向の長さを選定してあり、着座部３上には、二人並んで着座することができる。なお、使用者Ｈが着座部３上に着座した際には、右フレーム体Ｆｐ及び左フレーム体Ｆｑが広がる方向に使用者Ｈの重さが付加されるが、中間下フレーム部Ｆｍｄが傾斜したフレーム部Ｆｐｂ及びフレーム部Ｆｑｂの上面に圧接するため、右フレーム体Ｆｐ及び左フレーム体Ｆｑが広がる方向に対する応力は抑制される。また、中間下フレーム部Ｆｍｄは、いわば可動式に構成したため、サブフレーム部２５ｐ，２５ｑの長さを調整可能（選択可能）にすれば、右フレーム体Ｆｐと左フレーム体Ｆｑの開脚角度を変更することも可能になる。
【００３９】
一方、折畳みベンチ１は、移送時或いは保管時等の非使用時に、図７（ａ）及び（ｂ）に示すように折畳むことができる。折畳む際には、使用時とは逆の操作、即ち、前上端フレーム部Ｆｍｆと後上端フレーム部Ｆｍｒを相互に接近する方向に閉じればよい。このように、折畳みベンチ１は、使用時の操作と同様、極めて容易に折畳み操作を行うことができる。図７（ａ）は、折畳み途中の状態（側面図）を示すとともに、図７（ｂ）は、最終的な折畳み状態（側面図）を示す。最終的に折畳んだ状態では、前後の厚さを極めて薄い状態にできるため、移送或いは保管等において有利な形態にすることができる。
【００４０】
次に、本実施形態に係る折畳みベンチ１に備えるルーフ部１３の変更例について、図８〜図１０を参照して説明する。
【００４１】
図８は、ルーフ部１３を構成するに際し、第二フレキシブルシート部Ｓｒにおける左右の辺部１３ｐ及び１３ｑに、それぞれカーテン部１４ｐｓ，１４ｑｓを一体形成したものである。これにより、使用時には、辺部１３ｐに対して連続形成したカーテン部１４ｐｓは、当該辺部１３ｐから垂れ下がり、右側の側面空間を遮蔽するカーテン機能が発揮されるとともに、辺部１３ｑに対して連続形成したカーテン部１４ｑｓは、当該辺部１３ｑから垂れ下がり、左側の側面空間を遮蔽するカーテン機能が発揮される。
【００４２】
さらに、図８に仮想線で示すように、第二フレキシブルシート部Ｓｒに対して、前上端フレーム部Ｆｍｆから垂れ下がる前フリル部１４ｆを設けてもよい。例示の前フリル部１４ｆは、カーテン機能と装飾機能を兼ねている。なお、カーテン部１４ｐｓ及び１４ｑｓに対しても同様の装飾機能を付加することもできる。このようなカーテン部１４ｐｓ，１４ｑｓ及び前フリル部１４ｆを設ければ、折畳みベンチ１全体の遮光性及び装飾性（デザイン性）を含む商品性をより高めることができるとともに、低コストかつ容易に実施できる利点がある。
【００４３】
図９及び図１０は、ルーフ部１３を構成するに際し、図９に示すように、第二フレキシブルシート部Ｓｒにおける左右の辺部１３ｐ，１３ｑに、それぞれ一体形成することにより、隣接する他の折畳みベンチ１のルーフ部１３に対して、連結部１５ｐ，１５ｑにより連結可能な連結シート部１４ｐ，１４ｑを設けたものである。この場合、連結シート部１４ｐ，１４ｑの突出長は、図１０に示すように、二つの折畳みベンチ１，１を並べた際に、一方の連結シート部１４ｐに対して隣接する他方の連結シート部１４ｑがオーバーラップする長さに選定する。そして、一方の連結シート部１４ｐに設ける連結部１５ｐをボタン凹部により構成するとともに、他方の連結シート部１４ｑに設ける連結部１５ｑをボタン凸部により構成した。例示した連結部１５ｐ，１５ｑは、ボタンを用いた場合を示したが、面ファスナーやフック等の各種連結部１５ｐ，１５ｑを利用できる。
【００４４】
このように構成する図９及び図１０に示すようなルーフ部１３を設ければ、複数の折畳みベンチ１…を並べて設置する場合でも、連結シート部１４ｐ，１４ｑを介して相互に連結したルーフ部１３…により一体化した一つのルーフを構成できるため、折畳みベンチ１…間の隙間を遮蔽し、連続した一つのルーフにより日除け機能をより高めることができるとともに、各折畳みベンチ１…の位置ズレ防止にも寄与できる利点がある。
【００４５】
次に、本発明の変更実施形態に係る折畳みベンチ１について、図１１及び図１２を参照して説明する。
【００４６】
変更実施形態に係る折畳みベンチ１は、図１１に示すように、フレーム部を、アルミニウム素材等の金属素材を用いたパイプ部材ｆｐ…により形成したものである。なお、図１１に示す折畳みベンチ１と図１に示した折畳みベンチ１は、細部の構成や形状は異なるものの、基本的な構成は同じである。即ち、変更実施形態に係る折畳みベンチ１も、前述したＸ形をなす左右一対のフレーム体、即ち、右フレーム体Ｆｐと左フレーム体Ｆｑを備えるとともに、右フレーム体Ｆｐと左フレーム体Ｆｑ間に配する四つのフレーム部Ｆｍｒ，Ｆｍｆ，Ｆｍｕ及びＦｍｄを備えている。
【００４７】
なお、変更実施形態は、パイプ部材ｆｐ…を用いたため、一本のパイプ部材ｆｐを直角方向に折り曲げることができる。したがって、例えば、折り曲げたパイプ部材ｆｐの、一側をフレーム部Ｆｑａとし、かつ他側を前上端フレーム部Ｆｍｆとして用いることができ、この折り曲げた個所が、いわば結合部Ｃｊとして位置付けられる。他の個所も同様に構成できる。また、着座部Ｓｂは、矩形に形成したフレーム枠体Ｆｕを使用し、このフレーム枠体Ｆｕにおける上側の長辺部分を中間上フレーム部Ｆｍｕとし、下側の長辺部分を中間下フレーム部Ｆｍｄとして用いる。また、左右一対の短辺部分を固定辺部Ｆｃｐ，Ｆｃｑとして構成し、この固定辺部Ｆｃｐ，Ｆｃｑを溶接部３３…を介してフレーム部Ｆｐｂ，Ｆｑｂにそれぞれ固定した。
【００４８】
このように、フレーム部を形成するに際して、パイプ部材ｆｐ…により形成すれば、生産性に優れたパイプ部材ｆｐ…を利用できるため、生産性及び低コスト性に優れるとともに、強度に優れた細いフレーム部により構成できる利点がある。
【００４９】
さらに、変更実施形態に係る折畳みベンチ１は、パイプ部材ｆｐ…を構成するに際し、伸縮可能な二以上の伸縮部１８ｅ…及び着脱可能な二以上の着脱部１８ｊ…を含ませて構成した。
【００５０】
この場合、伸縮部１８ｅは、例えば、フレーム部Ｆｑｂを構成するに際し、大径に形成した上部分Ｆｑｂｕと、小径に形成することにより上部分Ｆｑｂｕの内部に挿入可能な中部分Ｆｑｂｄを含ませて構成した。これにより、使用時には、上部分Ｆｑｂｕから中部分Ｆｑｂｄを引き出し、フレーム部Ｆｑｂを伸長させることができるとともに、非使用時には、上部分Ｆｑｂｕに中部分Ｆｑｂｄを挿入し、フレーム部Ｆｑｂを短縮させることができる。この場合、図示を省略したが、中部分Ｆｑｂｄを引き出した位置と中部分Ｆｑｂｄを挿入した位置を公知のロック機構等によりロック可能に構成できる。また、他のフレーム部Ｆｑａ…にも同様の伸縮部１８ｅ…を設けることができる。さらに、フレーム枠体Ｆｕの固定辺部Ｆｃｐ，Ｆｃｑにも同様の伸縮部１８ｅ…を設けることができる。例示の場合、例えば、固定辺部Ｆｃｐ側は、大径に形成した上部分Ｆｍｕｓと小径に形成した下部分Ｆｍｄｓにより構成した。
【００５１】
また、着脱部１８ｊは、例えば、フレーム部Ｆｑｂを構成するに際し、上述した中部分Ｆｑｂｄに対して下部分Ｆｑｂｓを着脱部１８ｊにより着脱可能に構成した。例示の場合、中部分Ｆｑｂｄの下端面に凹部となるネジ孔部を形成し、他方、下部分Ｆｑｂｓの上端面に凸部となるネジ部を設けて構成した。
【００５２】
図１１に示す変更実施形態に係る折畳みベンチ１は、前述した図７（ｂ）と同じ状態に折畳んだ状態を示している。したがって、この状態における伸縮部１８ｅ…は伸長状態にあり、かつ着脱部１８ｊ…は装着状態にある。一方、変更実施形態に係る折畳みベンチ１は、伸縮部１８ｅ…及び着脱部１８ｊ…を備えるため、図１１の状態から、さらに最終状態まで折畳むことができる。即ち、伸縮部１８ｅ…を短縮状態にし、かつ着脱部１８ｊ…を離脱状態にすればよい。この状態を図１２に示す。例示の場合、離脱した４つの下部分（フレーム部の一部）Ｆｑｂｓ…は、フレキシブルシート部Ｓｂの裏面等に設けた仮想線で示すポケット部３５に収容した状態を示している。例示の変更実施形態では省略したが、必要によりパイプ部材ｆｐ…に折曲部を設け、この折曲部によりいわば二つ折り方式により折畳めむことも可能である。
【００５３】
このように、パイプ部材ｆｐ…を構成するに際し、伸縮可能な一又は二以上の伸縮部１８ｅ…，着脱可能な一又は二以上の着脱部１８ｊ…，折曲可能な一又は二以上の折曲部，の一又は二以上を含ませて構成すれば、伸縮部１８ｅ…，着脱部１８ｊ…又は折曲部のいずれも容易に構成できるため、折畳みベンチ１にとって好適となる強度及び操作性に優れた折畳み構造を容易に構築できる利点がある。
【００５４】
以上、変更例を含む好適実施形態及び変更実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５５】
例えば、フレーム部として、木質材又はパイプ部材ｆｐ…により形成した場合を例示したが、その他、プラスチック製の丸棒材を用いるなど、各種素材及び形状により実施可能である。さらに、本発明に係る折畳みベンチは、二人或いは三人等、複数人が着座することを想定したものであるが、一人掛け用の椅子であってもよく、同様の構成を有し、かつ機能を発揮するものであれば、各種概念のベンチが含まれる。
【産業上の利用可能性】
【００５６】
本発明に係る折畳みベンチは、屋外のレジャー施設や公園或いは街中の待ち合わせ場所等、通常のベンチと同様の用途として屋外における様々な場所で利用できる。
【符号の説明】
【００５７】
１：折畳みベンチ，２：骨格部，３：着座部，３ｓ：着座面，３ｒ：背凭れ面，１１：ベンチ脚部，１３：ルーフ部，１３ｐ：辺部，１３ｑ：辺部，１４ｐ：連結シート部，１４ｐ：連結シート部，１８ｅ：伸縮部，１８ｊ：着脱部，２５ｐ：サブフレーム部，２５ｑ：サブフレーム部，Ｃｒ：回動部，Ｆｐ：右フレーム体，Ｆｑ：左フレーム体，Ｆｐａ：フレーム部，Ｆｐｂ：フレーム部，Ｆｑａ：フレーム部，Ｆｑｂ：フレーム部，Ｆｍｆ：前上端フレーム部（フレーム部），Ｆｍｒ：後上端フレーム部（フレーム部），Ｆｍｕ：中間上フレーム部（フレーム部），Ｆｍｄ：中間下フレーム部（フレーム部），ｆｐ：パイプ部材，Ｓｂ：フレキシブルシート部，Ｓｒ：フレキシブルシート部，Ｐａｄ：下端部，Ｐｂｄ：下端部，Ｐａｕ：前上端部（上端部），Ｐｂｕ：後上端部（上端部），Ｑａｄ：下端部，Ｑｂｄ：下端部，Ｑａｕ：前上端部（上端部），Ｑｂｕ：後上端部（上端部），Ｈ：使用者
【図１】
0006748385.tif 000002
【図２】
0006748385.tif 000003
【図３】
0006748385.tif 000004
【図４】
0006748385.tif 000005
【図５】
0006748385.tif 000006
【図６】
0006748385.tif 000007
【図７】
0006748385.tif 000008
【図８】
0006748385.tif 000009
【図９】
0006748385.tif 000010
【図１０】
0006748385.tif 000011
【図１１】
0006748385.tif 000012
【図１２】
0006748385.tif 000013